(57)【要約】【課題】拡張カード基板の差し込み並びに抜き取り時の操作力を軽減することができるソケットコネクタを提供する。【解決手段】メイン基板１１に対して起立若しくは傾斜状態で拡張カード基板１を保持するソケットコネクタ１０であって、拡張カード基板１の両側をスライド可能に支持する一対の支持部１３，１４と、一対の支持部１３，１４の少なくとも一方に配置されたロック部１５とを備え、ロック部１５は、支持部１４に設けられた係合部１９ｂと、支持部１４に回転可能に設けられて拡張カード基板１の支持部１３とのスライド位置に応じて回転すると共に少なくともメイン基板１１に対する拡張カード基板１の取り付け完了時に係合部１９ｂと係合することにより拡張カード基板１の抜け方向の回転を規制する被係合部２４とを備えている。【選択図】      図１
2009054396.tif 000002
【特許請求の範囲】
【請求項１】
メイン基板に対して起立若しくは傾斜状態で拡張カード基板を保持するソケットコネクタであって、
前記拡張カード基板の両側をスライド可能に支持する一対の支持部と、該一対の支持部の少なくとも一方に配置されたロック部とを備え、
前記ロック部は、前記支持部に設けられた係合部と、前記支持部に回転可能に設けられて前記拡張カード基板の前記支持部とのスライド位置に応じて回転すると共に少なくとも前記メイン基板に対する前記拡張カード基板の取り付け完了時に前記係合部と係合することにより前記拡張カード基板の抜け方向の回転を規制する被係合部と、を備えていることを特徴とするソケットコネクタ。
【請求項２】
前記被係合部には、前記拡張カード基板と当接して該拡張カード基板のスライド位置に応じて前記被係合部を回転させる当接部を一体に備えていることを特徴とする請求項１に記載のソケットコネクタ。
【請求項３】
前記係合部は、前記被係合部の回転位置に応じて当接すると共にその回転に連動して変位可能に前記支持部に設けられていることを特徴とする請求項１又は請求項２に記載のソケットコネクタ。
【発明の詳細な説明】
【技術分野】
【０００１】
本発明は、メイン基板に対して起立若しくは傾斜状態で拡張カード基板を保持するソケットコネクタに関する。
【背景技術】
【０００２】
従来、例えば、パーソナルコンピュータに用いられているマザーボード等のプリント回路基板（以下、「メイン基板」と称する）には、ＳＤＲＡＭといったメモリモジュール基板等の拡張カード基板を装着するためのソケットコネクタを設けたものが周知である。
【０００３】
この拡張ＰＣ基板用のソケットコネクタには、メイン基板と拡張カード基板との電気的な導通接続を可能とする接点が設けられていると共に、この導通接続位置で拡張カード基板を保持している。
【０００４】
具体的には、拡張カード基板に係合凹部を形成すると共に、この係合凹部と係合するラッチをソケットコネクタに装着しておき、拡張カード基板をソケットコネクタに差し込みつつ、その差し込み操作力によってラッチをシーソー状に回動させて係合凹部に弾性状態で係合させている（例えば、特許文献１参照。）。
【０００５】
また、拡張カード基板をソケットコネクタから抜き取る場合には、ラッチを装着時とは逆方向に強制的に回動させることで拡張カード基板を接点から浮き上がらせることによって抜き取りが可能となる。
【特許文献１】特表２００２−５４２５９４号公報
【発明の開示】
【発明が解決しようとする課題】
【０００６】
ところが、上記の如く構成されたソケットコネクタにあっては、拡張カード基板をソケットコネクタに差し込みつつラッチをシーソー状に回動させる際、拡張カード基板を強く押し込まないとラッチを回動させることができないという問題が生じていた。
【０００７】
また、拡張カード基板を抜き取る際においても、ラッチを直接逆方向に回動させる際には強い操作力を必要とするという問題が生じていた。
【０００８】
そこで、本発明は、上記事情を考慮し、拡張カード基板の差し込み並びに抜き取り時の操作力を軽減することができるソケットコネクタを提供することを目的とする。
【課題を解決するための手段】
【０００９】
本発明のソケットコネクタは、メイン基板に対して起立若しくは傾斜状態で拡張カード基板を保持するソケットコネクタであって、前記拡張カード基板の両側をスライド可能に支持する一対の支持部と、該一対の支持部の少なくとも一方に配置されたロック部とを備え、前記ロック部は、前記支持部に設けられた係合部と、前記支持部に回転可能に設けられて前記拡張カード基板の前記支持部とのスライド位置に応じて回転すると共に少なくとも前記メイン基板に対する前記拡張カード基板の取り付け完了時に前記係合部と係合することにより前記拡張カード基板の抜け方向の回転を規制する被係合部と、を備えていることを特徴とする。
【００１０】
この際、前記被係合部には、前記拡張カード基板と当接して該拡張カード基板のスライド位置に応じて前記被係合部を回転させる当接部を一体に備えているのが好ましい。
【００１１】
また、前記係合部は、前記被係合部の回転位置に応じて当接すると共にその回転に連動して変位可能に前記支持部に設けられるのが好ましい。
【発明の効果】
【００１２】
本発明のソケットコネクタは、拡張カード基板の差し込み並びに抜き取り時の操作力を軽減することができる。
【発明を実施するための最良の形態】
【００１３】
次に、本発明の一実施形態に係るソケットコネクタについて、図面を参照して説明する。
【００１４】
図１は本発明の一実施形態に係るソケットコネクタに対する拡張カード基板の差し込み前における要部の説明図、図２は本発明の一実施形態に係るソケットコネクタに対する拡張カード基板の差し込み初期における要部の説明図、図３は本発明の一実施形態に係るソケットコネクタに対する拡張カード基板の差し込み終期における要部の説明図、図４は本発明の一実施形態に係るソケットコネクタに対する拡張カード基板の差し込み完了時における要部の説明図、図５は本発明の一実施形態に係るソケットコネクタの要部の拡大正面図、図６は本発明の一実施形態に係るソケットコネクタの要部の拡大側面図、図７は本発明の一実施形態に係るソケットコネクタの要部の拡大平面図、図８は本発明の一実施形態に係るソケットコネクタのロック機構部を取り外した状態の要部の拡大正面図、図９は本発明の一実施形態に係るソケットコネクタのロック機構部を取り外した状態の要部の拡大側面図、図１０は本発明の一実施形態に係るソケットコネクタのロック機構部を取り外した状態の要部の拡大平面図、図１１は本発明の一実施形態に係るソケットコネクタにおけるロック機構部の拡大正面図、図１２は本発明の一実施形態に係るソケットコネクタにおけるロック機構部の拡大側面図、図１３は本発明の一実施形態に係るソケットコネクタにおけるロック機構部の拡大斜視図である。
【００１５】
図において、１は拡張カード基板、１０は本発明の一実施形態に係るソケットコネクタである。
【００１６】
拡張カード基板１は、図１に示すように（他の図では一部省略）、例えば、ＳＤＲＡＭ等のように基板本体２の両面又は片面に複数のＩＣチップ３が実装されている。また、拡張カード基板１の下端部には、ソケットコネクタ１０との導通接続のためのプリント回路部（ランド）４が設けられている。さらに、拡張カード基板１の両端部には、切欠５，６が形成されている。尚、拡張カード基板１は、上述したＳＤＲＡＭ等に限定されるものではなく、ソケットコネクタ１０を介してパーソナルコンピュータのマザーボード等のメイン基板１１（図１にのみ図示）に対して起立状態（又は傾斜状態）で装着されるカードタイプのもの全般に適用することができる。
【００１７】
ソケットコネクタ１０は、メイン基板１１に固定されたベース部１２と、ベース部１２の両端から起立して拡張カード基板１の各両端を支持する支持部１３，１４と、一方の支持部１４に設けられたロック部１５とを備えている。
【００１８】
ベース部１２は、メイン基板１１に形成されたプリント回路（図示せず）と電気的に接続されると共に、上方に向けて開放することで拡張カード基板１の下端縁と嵌め合い接続される接点１２ａが設けられている。
【００１９】
支持部１３は、ベース部１２の一端から起立状態で一体的に設けられており、内方（他方の支持部１４）側に向けて開放することで拡張カード基板１の一端縁を案内する溝状のガイド溝１３ａが形成されている。
【００２０】
支持部１４は、拡張カード基板１の厚さ方向に沿って三層構造を呈しており、図５乃至図１０に示すように、拡張カード基板１の裏面側を支持すると共に円形の支持穴１６ａが形成された裏面側プレート１６と、拡張カード基板１の板厚に相当する中間プレート１７と、拡張カード基板１の表面側を支持する表面側プレート１８とを備えている。
【００２１】
中間プレート１７は、拡張カード基板１の幅方向において裏面側プレート１６よりも幅狭とされ、これにより内方（一方の支持部１３）側に向けて開放することで拡張カード基板１の他端縁を案内する溝状のガイド溝１７ａを形成する。また、中間プレート１７は、その高さは裏面側プレート１６よりも低く設定されている。尚、この高さは後述する。
【００２２】
表面側プレート１８は、拡張カード基板１の幅方向に分割された可動プレート１９と固定プレート２０とを備え、その全体として裏面側プレート１６の幅並びに高さが同じとされている。
【００２３】
可動プレート１９は、ベース部１２から立ち上がる基部を支点として先端が揺動可能とされている。また、可動プレート１９と固定プレート２０とは、その分割部分に全体的に真円形状を呈するように各半円状の切欠１９ａ，２０ａが形成されている。さらに、可動プレート１９の表面側には、先細り状の先端が切欠１９ａにオーバーハングする突起爪状の係合部１９ｂが一体に形成されている。
【００２４】
ロック部１５は、図１１乃至図１３に示すように、支持穴１６ａに回転可能に支持された回転軸部２１と、回転軸部２１の回転位置に応じてガイド溝１７ａに対して出没する当接部２２と、切欠１９ａ，２０ａに回転可能に支持された支持軸部２３と、係合部１９ｂに係合可能な被係合部２４とが一体に形成されている。
【００２５】
当接部２２と被係合部２４とは、略同一方向に長尺な正面視略楕円形状とされている。また、当接部２２と被係合部２４とは、図１に示すように、拡張カード基板１を装着する前において内方（一方の支持部１３）側に向けて上向き傾斜状態とされ、この状態において被係合部２４が係合部１９ｂの下側に当接している。従って、当接部２２と被係合部２４とは、拡張カード基板１を装着する前において内方（一方の支持部１３）側に向けて不測に下向き傾斜となるような回転が阻止されている。
【００２６】
上記の構成において、拡張カード基板１の両端を各ガイド溝１３ａ，１７ａに一致させつつ拡張カード基板１の下端をベース部１２に向けて押し下げると、拡張カード基板１の下端縁が当接部２２と当接し、さらなる拡張カード基板１の押し下げによってロック部１５が回転を開始する。
【００２７】
このロック部１５が回転を開始すると、図２に示すように、被係合部２４が係合部１９ｂの傾斜に案内されると同時に可動プレート１９の先端が固定プレート２０から離間するように揺動され、被係合部２４と係合部１９ｂとの係合状態が強制的に解除される。
【００２８】
さらに、図３に示すように、拡張カード基板１を押し下げると、拡張カード基板１の切欠５に当接部２２が入り込み、さらなる拡張カード基板１の押し下げによって、図４に示すように、拡張カード基板１の切欠５に当接部２２が入り込んだ係合状態のまま、当接部２２が内方（一方の支持部１３）側に向けて下向き傾斜状態とされると共に、被係合部２４が係合部１９ｂの上側に当接する。
【００２９】
従って、当接部２２と被係合部２４とは、拡張カード基板１の装着完了時において内方（一方の支持部１３）側に向けて不測に上向き傾斜となるような回転、即ち、拡張カード基板１の抜けが阻止されている。
【００３０】
また、上述した中間プレート１７の高さは、上述した一連のロック部１５の回転時に、当接部２２の回転を許容する高さとされている。
【００３１】
尚、拡張カード基板１を抜き取る場合には、拡張カード基板１の抜き取り操作をするだけで上記と逆にロック部１５が作動し、容易に抜き取りを行うことができる。
【００３２】
ところで、上記実施の形態では、ロック部１５を一方の支持部１４に設けたものを開示したが、他方の支持部１３に設けても良い。また、図１４に示すように、ロック部１５を両方の支持部１３，１４に各々設けても良い。この際、拡張カード基板１の切欠５，６の高さを変えると共に、その高さに合わせて各ロック部１５は支持部１３，１４に設けることにより、拡張カード基板１の表裏又は天地の装着ミスを防止することが可能となる。
【００３３】
さらに、例えば、拡張カード基板１の両端にピニオンギヤを形成し、当接部２２をこのピニオンギヤと噛み合うラックギヤで構成することも可能である。
【図面の簡単な説明】
【００３４】
【図１】本発明の一実施形態に係るソケットコネクタに対する拡張カード基板の差し込み前における要部の説明図である。
【図２】本発明の一実施形態に係るソケットコネクタに対する拡張カード基板の差し込み初期における要部の説明図である。
【図３】本発明の一実施形態に係るソケットコネクタに対する拡張カード基板の差し込み終期における要部の説明図である。
【図４】本発明の一実施形態に係るソケットコネクタに対する拡張カード基板の差し込み完了時における要部の説明図である。
【図５】本発明の一実施形態に係るソケットコネクタの要部の拡大正面図である。
【図６】本発明の一実施形態に係るソケットコネクタの要部の拡大側面図である。
【図７】本発明の一実施形態に係るソケットコネクタの要部の拡大平面図である。
【図８】本発明の一実施形態に係るソケットコネクタのロック機構部を取り外した状態の要部の拡大正面図である。
【図９】本発明の一実施形態に係るソケットコネクタのロック機構部を取り外した状態の要部の拡大側面図である。
【図１０】本発明の一実施形態に係るソケットコネクタのロック機構部を取り外した状態の要部の拡大平面図である。
【図１１】本発明の一実施形態に係るソケットコネクタにおけるロック機構部の拡大正面図である。
【図１２】本発明の一実施形態に係るソケットコネクタにおけるロック機構部の拡大側面図である。
【図１３】本発明の一実施形態に係るソケットコネクタにおけるロック機構部の拡大斜視図である。
【図１４】本発明の一実施形態に係る他のソケットコネクタに対する拡張カード基板の差し込み前における要部の説明図である。
【符号の説明】
【００３５】
１…拡張カード基板
１０…ソケットコネクタ
１１…メイン基板
１３…支持部
１４…支持部
１５…ロック部
１９…可動プレート
１９ｂ…係合部
２２…当接部
２４…被係合部
【図１】
2009054396.tif 000003
【図２】
2009054396.tif 000004
【図３】
2009054396.tif 000005
【図４】
2009054396.tif 000006
【図５】
2009054396.tif 000007
【図６】
2009054396.tif 000008
【図７】
2009054396.tif 000009
【図８】
2009054396.tif 000010
【図９】
2009054396.tif 000011
【図１０】
2009054396.tif 000012
【図１１】
2009054396.tif 000013
【図１２】
2009054396.tif 000014
【図１３】
2009054396.tif 000015
【図１４】
2009054396.tif 000016